(57)【特許請求の範囲】
【請求項１】
襖パネル（１）の上下・左右を横框（２）・縦框（３）でそれぞれ囲み、上下の横框（２）のうち少なくとも一つの長手方向に沿って、前後に通じる通気空間（７）をあけてある襖の通気構造において、
上下の横框（２）のうち少なくとも一つは、複数の横部材（５）を上下に並べ、並べた横部材（５）の間のうち少なくとも一つの間に、通気空間（７）をあける間隔保持手段（６）を係止し、通気空間（７）の上下の横部材（５，５）のうち一方の前側と他方の後側には化粧片（９）を、通気空間（７）の出入口となるスリット（８）の上下幅を狭める方向にそれぞれ延長し、通気空間（７）の前後のスリット（８）を段違いに形成してあり、
縦框（３）は、襖パネル用嵌合溝（４）に横框（２）の左右端部を嵌合するもので、
通気空間（７）の上下の横部材（５，５）は、前後の化粧片（９，９）を連結片（１０）で繋いで通気空間（７）に向かう開口溝（１１）を形成し、開口溝（１１）の口部には係止部（１３）を前後に備えるもので、
上下の開口溝（１１，１１）の少なくとも左右に間隔保持手段（６）としてのブロック（１４）を、上下・前後の係止部（１３）に対してスライド式に嵌合し、各開口溝（１１）の横幅全域のうち左右ブロック（１４，１４）を嵌合した領域以外に目板（１８）を、前後の係止部（１３）に対して嵌合して開口溝（１１）を閉鎖することを特徴とする襖の通気構造。
【発明の詳細な説明】
【０００１】
【発明の属する技術分野】
本発明は、前後に通じる通気空間を横框にあけた襖の通気構造に関する。
【０００２】
【従来の技術】
従来の襖の通気構造としては、特開２００２−２１４３９号公報に示すように、框の長手方向に沿って前後に貫通する通気空間を設けたものが知られている。
【０００３】
ところが、通気空間が前後に貫通している構造上、通気空間の裏側にある物が見えるので、体裁が悪い。また、框は木材を用いているので、通気空間をあける孔あけ加工が必要であり、その加工作業が面倒である。
【０００４】
【発明が解決しようとする課題】
本発明は上記実情を考慮したもので、その目的は、体裁が良く、しかも、框に通気空間を容易に形成できる襖の通気構造を提供することである。
【０００５】
【課題を解決するための手段】
本発明は、襖パネルの上下・左右を横框・縦框でそれぞれ囲み、上下の横框のうち少なくとも一つの長手方向に沿って、前後に通じる通気空間をあけてある襖の通気構造において、上下の横框のうち少なくとも一つは、複数の横部材を上下に並べ、並べた横部材の間のうち少なくとも一つの間に、通気空間をあける間隔保持手段を係止し、通気空間の上下の横部材のうち一方の前側と他方の後側には化粧片を、通気空間の出入口となるスリットの上下幅を狭める方向にそれぞれ延長し、通気空間の前後のスリットを段違いに形成してあり、縦框は、襖パネル用嵌合溝に横框の左右端部を嵌合するもので、通気空間の上下の横部材は、前後の化粧片を連結片で繋いで通気空間に向かう開口溝を形成し、開口溝の口部には係止部を前後に備えるもので、上下の開口溝の少なくとも左右に間隔保持手段としてのブロックを、上下・前後の係止部に対してスライド式に嵌合し、各開口溝の横幅全域のうち左右ブロックを嵌合した領域以外に目板を、前後の係止部に対して嵌合して開口溝を閉鎖することを特徴とする。
【０００６】
「通気空間の前後のスリットを段違いに形成してある」とは、横框を水平視した場合に、前方のスリットからは、後方のスリットを狭める化粧片のみが見え、後方のスリットが全く見えない状態をいう。
【０００７】
間隔保持手段は、通気空間の上下の横部材に係止できるものであれば、形状は限定されない。
【０００８】
係止部の形状は限定されず、例えば溝状、片状などが挙げられる。
【０００９】
【発明の実施の形態】
襖は図１から図３に示すように、襖パネル１の上下を横框２で、左右を縦框３でそれぞれ囲み、左右の縦框３の襖パネル用嵌合溝４の上下端部に横框２の左右端部を嵌合するものである。
【００１０】
本発明の襖の通気構造の第一実施形態では、上側の横框２として二本の横部材５を上下に間隔をあけて並べると共に、両横部材５，５の間に間隔保持手段６を介在して通気空間７を形成し、通気空間７の出入口となる前後のスリット８，８を段違いに形成したものである。
【００１１】
上側の横部材５は、上下方向の長さが異なる前後の化粧片９，９の上端を連結片１０で水平に接続して下向きの開口溝１１を形成し、前側化粧片９を後側化粧片９よりも垂下して、通気空間７の入口側スリット８の上下幅を狭めてある。また、前後の化粧片９，９には、開口溝１１の口部に相当する箇所から上下に間隔をあけて突片１２をそれぞれ内向きに突出し、上下の突片１２，１２間に溝状の係止部１３を形成する。
【００１２】
下側の横部材５は、上下方向の長さが異なる前後の化粧片９，９の高さ中間部を連結片１０で水平に接続して、連結片１０の上側には上向きの開口溝１１を、連結片１０の下側には下向きの襖パネル用嵌合溝４をそれぞれ形成し、後側化粧片９を、上側横部材５の前側化粧片９の下端と同じ高さかそれ以上に起立して、通気空間７の出口側スリット８の上下幅を狭めてある。なお、各横部材５はアルミニウムの押出形材を切断したものである。
【００１３】
間隔保持手段６は、二つのブロック１４と、溝閉鎖部材１５とからなり、何れも上下の開口溝１１，１１に対して左右方向にスライド式に嵌める。
【００１４】
ブロック１４は、上下の開口溝１１，１１の左右端部に嵌めて、縦框３の襖パネル用嵌合溝４の上端部（通気空間７に通じる部分）を閉鎖し縦框３の内部を隠蔽するもので、溝状係止部１３に嵌める被係止部１６を上下・前後に備え、中央部に上下に貫通する抜穴１７をあけてある。
【００１５】
一方、溝閉鎖部材１５は、上下の開口溝１１，１１の横幅全域のうち両ブロック１４，１４の間に嵌めて開口溝１１を閉鎖するもので、一対の前後の係止部１３，１３に挿入する二枚の目板１８，１８を上下に間隔をあけて設け、両目板１８，１８の横幅全域の一部の間に仲介ピース１９を介在し、目板１８と仲介ピース１９を上下からビス止めして一体化してある。なお、図１０（イ）には、仲介ピース１９を一対の目板１８，１８の横幅中間部に介在するタイプが示してあり、図１０（ロ）には、仲介ピース１９を一対の目板１８，１８の左右端部に介在するタイプが示してある。
【００１６】
下側の横框２は図２に示すように、三本の横部材５を上下に並べ、下段の横部材５を高さ調整用とし、その上の二本の横部材５，５の間に通気空間７を形成するものである。なお、図示しないが、下段の横部材５と中段の横部材５との連結にはビス止めを用いる。
【００１７】
本発明の襖の通気構造の第二実施形態は図４に示すように、下側の横框２が二本の横部材５，５を用いていることを特徴とする。
【００１８】
本発明の襖の通気構造の第三実施形態は図５に示すように、横框２が三本の横部材５を上下に並べると共に、上下に並び合う横部材５，５同士の間に通気空間７をそれぞれあけ、各通気空間７の前後のスリット８，８を段違いに形成してあることを特徴とするものである。
【００１９】
なお、図示しないが、上段と中段の横部材５，５同士の間、並びに中段と下段の横部材５，５同士の間に間隔保持手段６としてのブロック１４をそれぞれ介在してある。
【００２０】
本発明の第四から第八実施形態は図６の（イ）から（ホ）に示すように、横框２を構成する二本の横部材５が通気空間７の上下を閉鎖した形状とし、体裁の向上と埃が内部に入らないようにしたことを特徴とするものである。
【００２１】
図６の（イ）は第四実施形態を示す。横框２は、上側の横部材５が、前側化粧片９の高さ中間部と後側化粧片９の下端を連結片１０で水平に接続し、前後の化粧片９，９の上端同士を補助片２０で水平に接続したものである。また、下側の横部材５が、前側化粧片９の上端と後側化粧片９の高さ中間部を連結片１０で水平に接続し、前後の化粧片９，９の下部同士を補助片２０で水平に接続したものである。
【００２２】
図６の（ロ）は第五実施形態を示す。横框２が図６の（イ）と異なる点は、上側の横部材５が、前後の化粧片９，９に凸片２１を補助片２０と連結片１０の高さ中間部から内向きに突出し、下側の横部材５が、補助片２０の代わりに凸片２１を前後の化粧片９，９の下部から内向きに突出した点である。
【００２３】
図６の（ハ）は第六実施形態を示す。横框２が図６の（イ）と異なる点は、下側の横部材５が、補助片２０の代わりに凸片２１を前後の化粧片９，９の下部から内向きに突出した点である。
【００２４】
図６の（ニ）は第七実施形態を示す。横框２が図６の（イ）と異なる点は、上側の横部材５が前後の化粧片９，９の下端同士を連結片１０で傾斜して接続し、下側の横部材５も同様に前後の化粧片９，９の上端同士を連結片１０で傾斜して接続してある点である。
【００２５】
図６の（ホ）は第八実施形態を示す。横框２が図６の（イ）と異なる点は、上側の横部材５が、補助片２０の代わりに凸片２１を前後の化粧片９，９の上端からそれぞれ内向きに突出し、下側の横部材５が、補助片２０の代わりに凸片２１を前後の化粧片９，９の下部からそれぞれ内向きに突出した点である。
【００２６】
本発明の第九実施形態は図７に示すように、横框２は、上側の横部材５を下向きのコ字状に形成し、下側の横部材５が前後の化粧片９，９の上端を連結片１０で水平に接続し、連結片１０の前後幅の中間部から隠蔽片２２を起立し、隠蔽片２２の上部を上側の横部材５の内部に収容したことを特徴とするものである。この場合は前後のスリット８，８は同じ高さであるが、横框２を水平視した場合にスリット８からは隠蔽片２２のみが見えることになる。
【００２７】
間隔保持手段６としてのブロック１４の別の例を以下に記す。例えば横框２が図６（イ）に示す形態のものである場合、ブロック１４は図８に示すように、その上下に被係止部１６を側方に突出し、両被係止部１６，１６を上下の横部材５，５の左右端部の筒状の係止部１３内に外側（図中、横框２の左端）から嵌め込んで、上下の横部材５，５を一体化する。
【００２８】
ブロック１４のさらに別の例としては、図９に示すように、その上中下の三カ所に被係止部１６を側方に突出し、一対の被係止部１６，１６の間に線状溝２３を形成してある。この場合、横部材５の連結片１０の左又は右端部が係止部１３となり、片状の係止部１３を線状溝２３内に収容する。
【００２９】
なお、本発明は上記実施形態に限定されるものではない。例えば、間隔保持手段６は、ブロック１４のみ、又は溝閉鎖部材１５のみであっても良い。具体的に言えば、通気空間７を形成する上下の横部材５，５が、開口溝１１を有する形態の場合は、複数のブロック１４のみを上下の開口溝１１に係止しても良いし、溝閉鎖部材１５のみを上下の開口溝１１に係止しても良い。また、溝閉鎖部材１５は、二枚の目板１８と仲介ピース１９を一体化したものであったが、目板１８のみであっても良い。但し、その場合、溝閉鎖部材１５としての目板１８は、間隔保持手段６としては機能しない。
【００３０】
【発明の効果】
本発明によれば、横部材を上下に並べ、その間に間隔保持手段を係止する組立作業だけで、通気空間を容易に形成できる。また、化粧片によって通気空間の前後のスリットが段違いになっているので、横框を水平視した場合に、前側のスリットからは後側の化粧片のみが見え、通気空間の裏側にある物が見えないので、体裁が良い。
【００３１】
さらに、通気空間から見える横部材の開口溝が目板とブロックで塞がれるので体裁が良く、埃が内部に入らなくなる。また、目板及びブロックは何れも嵌合するものなので、その取付作業も容易である。なお、ブロックを開口溝の左右端部に嵌合した場合には、通気空間から見える縦框の内部がブロックで塞がれ、一段と体裁が向上する。ブロックを開口溝に沿ってスライドさせて上下の横部材の中間部に配置すれば、横部材のたわみ防止になる。
【図面の簡単な説明】
【図１】（イ）（ロ）（ハ）
（イ）図は溝閉鎖部材を開口溝に取り付けた状態、（ロ）図はブロックを開口溝に取り付けた状態、（ハ）図は上下の横部材を示す。
【図２】  襖の通気構造の第一実施形態を示す縦断面図である。
【図３】  図２のＡ−Ｂ−Ｃ−Ｄ断面図である。
【図４】  襖の通気構造の第二実施形態を示す縦断面図である。
【図５】  襖の通気構造の第三実施形態を示す縦断面図である。
【図６】（イ）（ロ）（ハ）（ニ）（ホ）
襖の通気構造の第四、五、六、七、八実施形態を示す縦断面図である。
【図７】  襖の通気構造の第九実施形態を示す縦断面図である。
【図８】（イ）（ロ）
ブロックの他の例を示し、（イ）図はブロックを取り付ける直前、（ロ）図はブロックを取り付けた状態を示す正面図である。
【図９】  ブロックの他の例を示す正面図である。
【図１０】（イ）（ロ）
溝閉鎖部材の概略正面図で、（イ）図は仲介ピースが横幅中間部にあるもの、（ロ）図は仲介ピースが左右端部にあるものを示す。
【符号の説明】
１  襖パネル
２  横框
３  縦框
４  襖パネル用嵌合溝
５  横部材
６  間隔保持手段
７  通気空間
８  スリット
９  化粧片
１０  連結片
１１  開口溝
１３  係止部
１４  ブロック
１８  目板
【図１】
0003928474.tif 000002
【図２】
0003928474.tif 000003
【図３】
0003928474.tif 000004
【図４】
0003928474.tif 000005
【図５】
0003928474.tif 000006
【図６】
0003928474.tif 000007
【図７】
0003928474.tif 000008
【図８】
0003928474.tif 000009
【図９】
0003928474.tif 000010
【図１０】
0003928474.tif 000011